Podtech/llm-jp-corpus-v4-ja_patent huggingface dataset:
(57)【要約】      （修正有）【課題】ストラップの使い方を首から下げる、肩から下げるだけでは無く多様の使い形が有っても良い。手持の使用は既存のストラップでは長くたるみがでて不便で有り、短いストラップを付ければファインダーにかぶりカメラを操作できない。重いレンズを付けストラップを使用するのには現存の吊り環では強度が心配に成る。【解決手段】カメラの底に当考案の吊り環の有る金具を取り付ける事により、四隅に吊り環が出来る為上部、左右にストラップを付ける事が出来、より好みのストラップを使用が出来る。横付けが出来るために短いストラップを支障無く使用できる。一眼カメラに付いてる三脚ネジ穴を利用して、吊り環用金具を全てのカメラに装着する事が出来る、強度の有る吊り環が出来、重いレンズをストレス無く使用できる。【選択図】なし【特許請求の範囲】
【請求項１】
ストラップを一眼カメラの左右に付ける為の専門吊り環。
【発明の詳細な説明】
【発明の繊細の説明】
【００１】既存のカメラにストラップを簡単に横付け出来、新しい使い方が出来る。
【００２】ストラップを横付けする事が出来る為、撮影時に従来のストラップの様に邪魔にならない
【００３】四隅に吊り環が有る為、左右付け変える事が出来、好みに合わせられる。
【００４】短いストラップを横に付けると歩く時、手持ちに便利。
【発明の効果】
三脚用のねじ穴を利用しストラップを固定する為、従来の吊り環より強度が有り重いレンズを付ける事が出来、心配せずストラップを使用できる。四隅に吊り環が付けられる為に、左右に長短のストラップを併用して使用できる利便性がある。
【図面の簡単な説明】
【図１】カメラ後本体図
【図２】吊り環金具上面図  「１」カメラ後本体図  「２」既存のストラップ用吊り環  「３」吊り環金具横断面図  「４」吊り環金具留めネジ  「５」吊り環金具上面図  「６」ストラップ用吊り環  「７」吊り環金具カメラ接続ネジ穴
【図１】
2008268823.tif 000002
【図２】
2008268823.tif 000003
(57)【要約】【課題】仮に光ファイバー心線を接続しても、接続部が折れやすいため使い捨ての熱収縮スリーブを使用しなければならず、コストがかかり、ゴミも増えた。しかも、熱収縮スリーブの中で接続部が切断していても、目で確認できない。【解決手段】仮に光ファイバー心線を接続したときに仮収納用具を使用すれば、熱収縮スリーブを使わないで済むため、コスト削減にもなりゴミも減る。しかも、収縮時間も要らなくなるので効率も良くなり、接続部が透明の板で出来ているので、すぐに目で確認が出来る。【選択図】図１
2008268821.tif 000002
【特許請求の範囲】
【請求項１】
接続した光ファイバー心線を挟み込み、数日間切断せずにおいて置けることを特徴とする仮収納用具。
【請求項２】
前記の挟み込む周りの素材は透明であることを特徴とする、請求項１記載の仮収納用具。
【発明の詳細な説明】
【技術分野】
【０００１】  この発明は、接続した光ファイバー心線を保護することに関する。
【背景技術】
【０００２】  仮に光ファイバー心線３を接続する場合でも接続部４が非常に折れやすいため使い捨ての熱収縮スリーブで接続部４を保護していた。
【発明の開示】
【発明が解決しようとする課題】
【０００３】しかしながら、以上の技術によれば、仮に光ファイバー心線を接続した場合でも、数日後接続した光ファイバー心線を切断しなければならない。そのような時に使い捨ての熱収縮スリーブが無駄になりコストがかかる。
そこで、この発明は、熱収縮スリーブを使わずに、接続した光ファイバー心線を保護する仮収納用具を提供することを課題とする。
【課題を解決するための手段】
【０００４】  以上の課題を解決するために、第一発明は、接続した光ファイバー心線を挟み込み接続部分を保護し、数日間置いておける事を特徴とする仮収納用具である。
また、第二発明は、接続した部分が見える事を特徴とする仮収納用具である。
【発明の効果】
【０００５】第一発明によれば、仮に光ファイバー心線を接続した場合に、熱収縮スリーブがいらなくなりコスト削減になる。さらに、熱収縮スリーブを加熱する時間、約２分も約５秒に短縮できる。
第二発明によれば、接続した部分の状況がすばやく確認できる。
【発明を実施するための最良の形態】
【０００６】  この発明の一実施形態を、図１に示す。
仮収納用具の本体１は透明な板でできており、この本体１の両側２にゴムのようなものが設けられている。【０００７】「実施形態の効果」
この実施形態によれば、仮収納用具が接続機に装着でき、一人で作業をすることができるので、効率もよくなる。【０００８】「他の実施形態」
図１の実施形態では、本体１が透明な素材であったが、他の実施形態では、半透明なものでも良い。
【図面の簡単な説明】
【０００９】
【図１】この発明の一実施形態を示す斜視図である。
【符号の説明】
【００１０】        １透明な板            ２ゴムのようなもの
３光ファイバー心線    ４光ファイバー心線接続部
【図１】
2008268821.tif 000003
(57)【要約】【課題】    折り込みチラシの効果を上げるウェブ。【解決手段】図１のように、特定地域の折り込みチラシ情報として、業種ごとに広告主名、折り込み日や特売日、折り込みチラシのサイズ、割引券の有無といった情報を記録した一覧表をつくり、利用者がインターネットで広告主の事業内容や取扱商品情報を検索できるように、広告主の紹介ページを付けたり広告主のホームページにリンクできるようにしたウェブ。【選択図】図１
2008268824.tif 000002
【特許請求の範囲】
【請求項１】
（イ）図１のように、特定地域の折り込みチラシ情報として、業種ごとに広告主名と折り込み日や特売日を記録した一覧表をつくる。
（ロ）図１の一覧表を有し、利用者がインターネットで図１の広告主の事業内容や取扱商品情報を検索できるように、広告主の紹介ページを付けたり広告主のホームページにリンクできるようにしたことを特徴とするウェブ。
【発明の詳細な説明】
【技術分野】
【０００１】この発明は折り込みチラシの効果を上げるウェブに関するものである。
【背景技術】
【０００２】従来、一般的に手軽な広告手段として折り込みチラシが利用されているが、その効果は満足するものとは言い難いものがあった。
【発明の開示】
【発明が解決しようとする課題】
【０００３】なぜなら、これには次のような欠点があった為である。
（イ）平日の折り込みチラシを、毎朝必ず見てくれる利用者は主に家庭にいる主婦であり、出勤する社会人や通学する学生にとって忙しい朝に見ることは難しく、疲れて帰宅してからも同様に見ないケースが殆どである。
（ロ）休日の折り込みチラシは一般的に枚数が多くなる為、見過ごされやすいチラシが発生し、休日だからこそ出かける家庭も多く見てもらえない時がある。
（ハ）一般的に過去のチラシは新聞と一緒に重ねられ、後日必要なときもあるが探し出すのに大変苦労する。
（二）最終的には情報として記録活用することなく廃棄されてしまう。
本発明は、これらの欠点を解消しようとするものである。
【課題を解決するための手段】
【０００４】今、これを図面について説明すれば、
（イ）図１のように、特定地域の折り込みチラシ情報として、業種ごとに広告主名、折り込み日や特売日、折り込みチラシのサイズ、割引券の有無といった情報を記録した一覧表のウェブをつくる。
（ロ）図１の広告主の事業内容や取扱商品情報は、利用者がインターネットで検索できるようにウェブに広告主の紹介ページを付けたり、広告主のホームページにリンクできるようにする。
以上のようなウェブであるから地域住民の利用法と広告主の利用法がある。
地域住民の利用法としては、
（イ）外出先から利用する。当日のスーパーマーケットやパチンコ店の折り込みチラシの有無情報を、会社のパソコンなどで確認すれば帰宅途中に寄道できる。
（ロ）見過ごしやすい地域情報の入手に利用する。休日などの時間の余裕ある時に、イベント、新規開店、メーカーのリコール商品情報などのチラシ情報有無を確認する。
（ハ）家族などで外食する時に利用する。食堂、レストランなどの折り込みチラシの割引券、サービス券の有無情報から、該当日のチラシを探して利用する。
（ニ）商品購入計画をたてるのに利用する。衣料品店のように季節の変わり目の特売は毎年ほぼ決まった時期に行われる為、過去の折り込みチラシ実績は商品購入計画をたてるのに利用できる。
（ホ）各業種の最新の地域事業者名簿として利用する。折り込みチラシの回数は広告主の営業努力を評価する目安になるし、最近の折り込み日であれば現在の活動状況が推測できる為、最新の名簿として利用できる。
（ヘ）地域事業者の各商品比較検討用ウェブとして利用する。新車、中古車、学習塾のカリキュラム、旅行企画などの地域事業者の各商品を比較検討するのに、リンク先の事業所ホームページを利用すると効率よい調査が出来る。
（ト）建設業事業者の各得意分野を判断する資料として利用する。建設事業関連の折り込みチラシの内容として、マンション販売、建売販売、注文住宅、リホームなどに分類表示することにより、各事業者の得意分野を判断する資料として利用できる。
広告主の利用法としては、
（イ）競合店の折り込みチラシ実績の傾向を把握して、自店の広告計画に利用する。
（ロ）自店の折り込みチラシ日の集客実績と競合店の折り込みチラシの有無の影響を比較検討して、広告戦略に利用する。
【発明の効果】
【０００５】（イ）自宅以外でも折り込みチラシの情報入手が可能となる等、利用時間幅がひろがる。
（ロ）ウェブは折り込みチラシの目次として機能し、折り込みチラシの情報を整理しやすく、探しやすく、見すごしを少なくする等の効果が期待できる。
（ハ）ウェブの折り込みチラシ情報は毎日新鮮なものとなり、利用者が飽きることなく定着する為に、折り込みチラシの効果が向上する。
（ニ）折り込みチラシ広告の有効期間に関係なく、広告を出した実績が事業者名簿として知名度を維持向上してくれる。
（ホ）広告主の広告戦略がたて易くなる為、折り込みチラシの枚数が増え地域の活性化につながる。
【実施例】
【０００６】一般家庭の新聞の折り込みチラシのデータを利用して特定地域のウェブ作成が可能ですが、それぞれの特定地域のウェブをリンクすれば広域での利用が可能になる。また、過去１年間なかったような広告事業主のチラシや新規事業主のチラシを一覧表の特別枠に掲載するなどして、事業育成を図り地域活性に役立てる方法がある。【０００７】広告主が利用する場合には、広告主にデータを入力した広告戦略用ＣＤ等を販売する方法もある。その場合、入力項目としては天候、集客数を、出力としては一覧表の形式の他、競合店等の立地条件の検討が可能な地図形式があると便利である。
集客数が良い日の理由は、天候それとも折り込みチラシ効果によるものか等を検討できるし、集客数が悪い日の原因は、天候それとも競合会社の折り込みチラシの影響によるものか、あるいは自社の広告に問題があるのか等の検討資料として利用が可能である。
【産業上の利用可能性】
【０００８】本発明に係るウェブには広告掲載料収入やデータ販売収入が見込める為、産業上の利用可能性を有する。
【図面の簡単な説明】
【０００９】
【図１】本発明の折り込チラシ一覧表である。
【図１】
2008268824.tif 000003
(57)【要約】【課題】ネジによって直接固定されなくても耐振動性能を向上させることが可能な表示装置を提供する。【解決手段】第１のケース体１と第２のケース体２との間に表示器３を搭載した回路基板４を収納すると共に第１，第２のケース体１，２をこれら各ケース体１，２の各々に形成した第１，第２のネジ止め固定部１１，２１を介して相互にネジ止め固定してなり、第１，第２のケース１，２の各々であって第１，第２のネジ止め固定部１１，２１に隣接する箇所に、ネジ止め固定部１１，２１を介して各ケース体１，２どうしをネジ止めした際、ネジ止め固定用の貫通孔のない回路基板４の端部４１を挟み付け固定する一対の押圧部１２，２２を設けた【選択図】図１
2008268681.tif 000002
【特許請求の範囲】
【請求項１】
第１のケース体と第２のケース体との間に表示器を搭載した回路基板を収納すると共に前記第１，第２のケース体をこれら各ケース体の各々に形成したネジ止め固定部を介して相互にネジ止め固定してなる表示装置において、
前記第１，第２のケースの各々であって前記ネジ止め固定部に隣接する箇所に、前記ネジ止め固定部を介して各ケース体どうしをネジ止めした際、ネジ止め固定用の貫通孔のない前記回路基板の端部を挟み付け固定する一対の押圧部を設けたことを特徴とする表示装置。
【請求項２】
前記押圧部のうち少なくとも一方が突出ボス形状であることを特徴とする請求項１記載の表示装置。
【請求項３】
前記押圧部のうち少なくとも一方の先端を先細り形状に設定したことを特徴とする請求項１記載の表示装置。
【発明の詳細な説明】
【技術分野】
【０００１】
本発明は、例えば各種車両に適用される表示装置に関し、特に回路基板の固定構造に係わる。
【背景技術】
【０００２】
この種の表示装置として、例えば下記特許文献１に記載されているものが知られている。この表示装置は、第１のケース体と第２のケース体との間に表示器を搭載した回路基板を収納すると共に第１，第２のケース体をこれら各ケース体の各々に形成したネジ止め固定部を介して相互に接合固定してなるもので、回路基板はネジ止め固定用の貫通孔を有し、この貫通孔及びネジ止め固定部を介してネジ止め固定されている。
【特許文献１】実開昭６１−１１２３８３号公報
【発明の開示】
【発明が解決しようとする課題】
【０００３】
しかしながら、近年、表示装置の小型化が望まれていることから回路基板の大きさも制約を受け、前記特許文献１記載のように、回路基板にネジ止め用の貫通孔を設けることができず、この結果、回路基板にネジ止めされないフリーな箇所が発生し、耐振動性が低下するという問題があった。
【０００４】
本発明は、この点に鑑みてなされたもので、ネジによって直接固定されなくても耐振動性能を向上させることが可能な表示装置を提供するものである。
【課題を解決するための手段】
【０００５】
本発明は、前記目的を達成するため、第１のケース体と第２のケース体との間に表示器を搭載した回路基板を収納すると共に前記第１，第２のケース体をこれら各ケース体の各々に形成したネジ止め固定部を介して相互にネジ止め固定してなる表示装置において、前記第１，第２のケースの各々であって前記ネジ止め固定部に隣接する箇所に、前記ネジ止め固定部を介して各ケース体どうしをネジ止めした際、ネジ止め固定用の貫通孔のない前記回路基板の端部を挟み付け固定する一対の押圧部を設けたことを特徴とする。
【０００６】
また本発明は、前記押圧部のうち少なくとも一方が突出ボス形状であることを特徴とする。
【０００７】
また本発明は、前記押圧部のうち少なくとも一方の先端を先細り形状に設定したことを特徴とする。
【発明の効果】
【０００８】
本発明によれば、初期の目的を達成でき、ネジによって直接固定されなくても耐振動性能を向上させることが可能な表示装置を提供することができる。
【発明を実施するための最良の形態】
【０００９】
図１は、本発明の一実施形態を示す表示装置の要部断面図である。
【００１０】
図１において、本実施形態による表示装置は、背面カバーからなる例えば合成樹脂製の第１のケース体１と、表カバーからなる例えば合成樹脂製の第２のケース体２との間に、例えば液晶表示器からなる表示器３を搭載した回路基板４を収納している。
【００１１】
第１，第２のケース体１，２には、各々が孔形状の第１，第２のネジ止め固定部１１，２１が形成され、これらネジ止め固定部をネジ５を介して相互にネジ止め固定することにより両ケース体１，２が強固に接合固定される。
【００１２】
回路基板４は、ネジ止め用の貫通孔からなる図示しないネジ止め箇所を第１，第２のケース体１，２の少なくとも一方にネジ止め固定することにより、不動状態に固定される。
【００１３】
ここで、第１，第２のケース体１，２どうしをネジ止め固定する第１，第２のネジ止め固定部１１，２１に隣接する近傍位置に、前記ネジ止め固定用の貫通孔のない回路基板４の端部４１が位置しており、この端部４１は、第１，第２のケース体１，２どうしのネジ止め固定が完了した状態で、第１のケース体１から突出形成された第１の押圧部１２と第２のケース体２から突出形成された第２の押圧部２２との間に挟み付け固定されている。
【００１４】
これら第１，第２の押圧部１２，２２は、共に突出ボス形状であり、それらの先端は、先細り形状に設定されている。
【００１５】
以上のように本実施形態では、第１のケース体１と第２のケース体２との間に表示器３を搭載した回路基板４を収納すると共に第１，第２のケース体１，２をこれら各ケース体１，２の各々に形成した第１，第２のネジ止め固定部１１，２１を介して相互にネジ止め固定してなり、第１，第２のケース１，２の各々であって第１，第２のネジ止め固定部１１，２１に隣接する箇所に、ネジ止め固定部１１，２１を介して各ケース体１，２どうしをネジ止めした際、ネジ止め固定用の貫通孔のない回路基板４の端部４１を挟み付け固定する一対の押圧部１２，２２を設けたことにより、回路基板４自体にネジ止めされないフリーな箇所が発生した場合でも、押圧部１２，２２によって挟み付け固定できるので、耐振動性能を向上させることができる。
【００１６】
また本実施形態では、押圧部１２，２２が突出ボス形状であることにより、回路基板４に当接する押圧部１２，２２の面積を小さくでき、回路基板４の端部４１を強固に挟み付け固定することができる。なお押圧部１２，２２のうちの一方のみを突出ボス形状としてもよい。
【００１７】
また本実施形態では、押圧部１２，２２の先端を先細り形状に設定したことにより、ネジ止め固定部１１，２１を介して各ケース体１，２どうしをネジ止めした際、押圧部１２，２２の先端がつぶれ、これにより挟み付け固定時の隙間やガタの発生を抑えることができる。なお押圧部１２，２２のうちの一方のみを先細り形状としてもよい。
【図面の簡単な説明】
【００１８】
【図１】本発明の一実施形態を示す表示装置の要部断面図。
【符号の説明】
【００１９】
１  第１のケース体
２  第２のケース体
３  表示器
４  回路基板
５  ネジ
１１，２１  第１，第２のネジ止め固定部
１２，２２  第１，第２の押圧部
４１  端部
【図１】
2008268681.tif 000003
(57)【要約】【課題】  爪研ぎ板を壁や床に固定する必要がなく、高さと角度の調整や、好みの爪研ぎ板の材質の使用、簡単に移動が可能な猫の爪研ぎ具を提供する。【解決手段】  土台１に支柱２を設け、これに高さ調整用部品３を設け、ネジ６で固定した後、角度調整用部品４の位置と角度を変え、爪研ぎ板の角度を調整し、ネジ８で固定した後、高さ調整用部品３のネジ５と角度調整用部品４のネジ７で爪研ぎ板９を固定する。【選択図】図１
2008125504.tif 000002
【特許請求の範囲】
【請求項１】
爪研ぎ板の高さと角度を任意の位置で固定できる部品を支柱に取り付け、その支柱を土台に取り付けた猫の爪研ぎ具。
【請求項２】
土台に支柱を取り付け、その支柱に材質の異なった爪研ぎ板や箱を取り付ける事ができる猫の爪研ぎ具。
【請求項３】
爪研ぎ板を付けた支柱を土台に取り付けた猫の爪研ぎ具。
【発明の詳細な説明】
【技術分野】
【０００１】  本発明は、猫の爪研ぎ具に関するものである。
【背景技術】
【０００２】  従来の猫の爪研ぎ具は、長方形の紙製の板や木製の箱を床に置いたり、壁に掛け使用する。その為、設置した位置からずれたり、壁に固定するための穴を開けたり、接着剤で貼付ける必要があった。又、立体式の製品は、材質が選べない問題点がある。
【発明が解決しようとする課題】
【０００３】  本発明は、高さや角度を調整することにより、小さい猫から大きい猫までの使用や、猫にとって心地良い状態で爪を研ぐ事を可能にする。又、研ぎ板の材質も好みによって交換でき、スタンド式で移動のできる爪研ぎ具を提供するものである。
【課題を解決するための手段】
【０００４】  この為、本発明は、土台に取り付けた支柱に爪研ぎ板の高さと角度の調整が可能な部品を取り付け、それに爪研ぎ板を取り付ける。又、爪研ぎ板を前方に傾斜させる事で土台を軽量化できる。
【発明を実施するための最良の形態】
【０００５】  それを図面について説明すれば、土台１に支柱２を設け、支柱２を挟んで高さ調整用部品３を両側からネジ６で任意の位置で固定する。支柱２を挟み、角度調整用部品４をネジ８で任意の位置で固定する。爪研ぎ板９をネジ５と７で固定する。
【実施例】
【０００６】  爪研ぎ板の高さを変えるために、支柱を分割して組み合わせる事もできる。【０００７】  爪研ぎ板の角度を変えるために、異なる他の部品を使用する事もできる。【０００８】  爪研ぎ板や爪研ぎ箱の本体に傾斜を付けてもよい。【０００９】  支柱や土台の表面を爪研ぎとして使用してもよい。【０００１０】  高さ調整用部品と角度調整用部品を、上下入れ替えて使用してもよい。
【産業上の利用可能性】
【００１１】  高さと角度の調整や、市販されている好みの材質の爪研ぎ板の使用を可能にする事により、猫の大きさや好みに合わせ、猫が心地良い状態で爪を研ぐ事ができる。又、板の正面だけでなく、天面や側面でも爪を研ぐ事ができ、ストレス解消の効果を上げる。移動可能なスタンド式爪研ぎ具な為、猫の好きな場所に持って行くことができ、家具や壁などで爪研ぎをする猫にしつけができる。
【図面の簡単な説明】
【００１２】
【図１】  本発明の一形態例を示す側面図である。
【図２】  本発明の一形態例を示す側面図である。
【図３】  その角度調整の部品の平面図である。
【図４】  その高さ調節用の部品の平面図である。
【図５】  その土台の平面図である。
【図６】  本発明の一形態例を示す正面図である。
【図７】  その爪研ぎ板の斜視図である。
【図８】  その角度調整用の部品の斜視図である。
【図９】  その高さ調節用の部品の斜視図である。
【図１０】  そのネジである
【符号の説明】
【００１３】  １              土台
２              支柱
３              高さ調製用部品
４              角度調整用部品
５，６，７，８  固定ようネジ
９              爪研ぎ板（箱）
【図１】
2008125504.tif 000003
【図２】
2008125504.tif 000004
【図３】
2008125504.tif 000005
【図４】
2008125504.tif 000006
【図５】
2008125504.tif 000007
【図６】
2008125504.tif 000008
【図７】
2008125504.tif 000009
【図８】
2008125504.tif 000010
【図９】
2008125504.tif 000011
【図１０】
2008125504.tif 000012
(57)【要約】      （修正有）【課題】盆栽や鉢植え植物に肥料を施す際、固形肥料を液体肥料に変えて施肥する容器を提供する。【解決手段】上部を開口し内部に収容部２を設けた容器部１の側面に、収容部２を貫通した水位穴４を設け、容器部１の底部に先端５が鋭角に尖った足部３を有する容器に、固形肥料と水を入れておくことにより、潅水の度に容器から液体肥料があふれて施肥されることを特徴とする固形肥料を液体肥料に変えて施肥する容器。【選択図】図１
2008125508.tif 000002
【特許請求の範囲】
【請求項１】
上部を開口し内部に収容部を設けた容器部の側面に、収容部を貫通した水位穴を設け、容器部の底部に先端が鋭角に尖った足部を有する容器に、固形肥料と水を入れておくことにより、潅水の度に容器から液体肥料があふれて施肥されることを特徴とする固形肥料を液体肥料に変えて施肥する容器。
【発明の詳細な説明】
【技術分野】
【０００１】  本発明は、盆栽や鉢植え植物に肥料を施す際、固形肥料を液体肥料に変えて施肥する容器に関するものである。
【背景技術】
【０００２】  従来、固形肥料は鉢土の上に直接置くか、転がり落ちないように鉢土に穴を掘り埋め込んでおくか、カバーを被せたりしていた。
【発明の開示】
【発明が解決しようとする課題】
【０００３】  そのため、次のような問題点があった。
（イ）固形肥料が直接植物の根に触れると、その部分の根やコケが肥料やけを起こして枯れる。
（ロ）鉢土の表面を掘り固形肥料を埋め込む作業は、大変手間が掛る。
（ハ）鉢土を掘り起こしたり、固形肥料のカスが残ったりして、鉢土表面が汚れる。
（ニ）直接置いた固形肥料が、ダンゴ虫やナメクジに食害される。
（ホ）直接置いた固形肥料は、潅水時しか濡れないので液体肥料に変わる率が悪い。
本発明は、以上の問題点を解決しようとするものである。
【課題を解決するための手段】
【０００４】  上部を開口し内部に収容部を設けた容器部の側面に、収容部を貫通した水位穴を設け、容器部の底部に先端が鋭角に尖った足部を有する容器に、固形肥料と水を入れておくことにより、潅水の度に容器から液体肥料があふれて施肥される。以上を特徴とする固形肥料を液体肥料に変えて施肥する容器。
【発明の効果】
【０００５】  本発明は、固形肥料を液体肥料に変えてから施肥するもので、植物にとって自然でやさしい効き方になり、根もコケも枯れない。
容器に固形肥料と水を入れておくだけで、後は日常の潅水で自然に固形肥料から出る腐植液肥が鉢内に行き渡るので手間がかからない。
鉢土表面に固形肥料を置かないので、その残りカスで鉢土表面を汚さない。
固形肥料が容器の中で、水に浸っているので、ダンゴ虫やナメクジの食害が減る。
肥料の入った容器を抜き差しすることで、肥料を効かせる時期及び期間を正確に決められる。
【発明を実施するための最良の形態】
【０００６】  以下、本発明の実施の形態を説明する。
（イ）上部を開口した容器部（１）の内側に収容部（２）を設ける。
（ロ）容器部（１）の側面に、収容部（２）の内部と外部を貫通させた水位穴（４）を設ける。
（ハ）水位穴（４）は容器部（１）の中央よりやや下方に設ける。
（ニ）容器部（１）の底面下方に突き出した足部（３）を設ける。足部（３）の先端（５）は鋭角状に尖っている。
（ホ）また、図３のように足部（３）の周囲にらせんネジ（６）を付けてもよい。
本発明は以上の構成でなっている。
本発明を使用するときは、足部（３）を鉢土（１０）に差し込み、収容部（２）に固形肥料（７）と水（８）を入れておくことにより、固形肥料（７）が腐植し、液体肥料（９）になって収容部（２）に滲みだしてくる。潅水の度に容器部（１）の上縁及び水位穴（４）から容器部（１）の外側に液体肥料（９）があふれ出てきて施肥される。
収容部（２）内の水（８）は、水位穴（４）の高さ位置まで残っているため、固形肥料は常に湿っており腐植を進行させる。そのため潅水の度に効率よく液体肥料（９）を施肥することができる。
また、図３のように足部（３）の周囲にらせんネジ（６）を付けることにより、鉢土（１０）の硬い状態のとき、ネジ込んで差し込むことができる。
【図面の簡単な説明】
【０００７】
【図１】  本発明の斜視図
【図２】  本発明の側面断面図
【図３】  本発明の他の足部を示す側面図
【図４】  本発明の使用状態を示す断面図
【符号の説明】
【０００８】  １  容器部
２  収容部
３  足部
４  水位穴
５  先端
６  らせんネジ
７  固形肥料
８  水
９  液体肥料
１０  鉢土
【図１】
2008125508.tif 000003
【図２】
2008125508.tif 000004
【図３】
2008125508.tif 000005
【図４】
2008125508.tif 000006
(57)【要約】      （修正有）【課題】高温時期にも漬物を作ることが出来る装置の提供。【解決手段】上部に蓋３があり、温度を１８℃以下に保つことができる冷蔵庫機能を有する保冷容器２と、この中に入れる漬物桶からなる冷却機５と漬物桶を一体化した漬け物装置であって、保冷容器内部や漬物桶などの材料は金属を避けたものとする。【効果】気温の高くなる５月から１０月までぐらいの時期に酸味が強くなったり、腐敗したり、虫がわいたりすることなく漬け物を作ることができる。【選択図】図１
2008125510.tif 000002
【特許請求の範囲】
【請求項１】
保冷装置の中へ漬物桶を入れることにより、漬物桶内を一定範囲の温度に保つことが出来るようにした装置。
【発明の詳細な説明】
【技術分野】
【０００１】  この発明は保冷庫の中に漬物桶を入れることが出来るようにして、一定範囲の温度の中で漬物が漬かるようにした装置である。
【背景技術】
【０００２】  従来、家庭では漬物桶だけで常温の中で漬物を漬けていた。
【発明の開示】
【発明が解決しようとする課題】
【０００３】  これには、近年問題が出てきた。温暖化と家の建築様式の変化で温度が上がり、５月ごろから９月ごろの間は、漬物の酸味が強くなったり、腐敗したり、虫がわいたりして味が極端に落ちる事が多くなり、漬物を一般家庭で作ることが困難になった。
本発明は、以上のような問題点を無くす為になされたものである。
【課題を解決するための手段】
【０００４】  上部に蓋を設けた保冷機を作り、その中に漬物を漬ける桶が入るようにして、中の温度を一定範囲（１８度前後）に保てるようにする。
【発明の効果】
【０００５】  ５月頃から９月頃までの約半年間通電をして中の温度を１８度前後に保てば、課題で上げたような事が解決して、味の良い漬物が出来る。
他の期間も、電源は切ってこれを使うことが出来る。
通電は約半年間、温度も１８度程度なので、電気代も大したことは無い。
【発明を実施するための最良の形態】
【０００６】  以下、発明の実施例について説明する。
図２中の空洞▲１１▼へ、図３の漬物桶▲７▼を入れて、図４の様にその中へ野菜など▲１０▼を入れ、落し蓋▲９▼をして、重し▲８▼を乗せ、蓋▲３▼をする。
図２・４の▲５▼の部分はモータ及びコンプレッサー部、▲４▼は断熱部、図２の▲６▼は冷却用のパイプである。下方中ほどまで冷やせばよい。
図１は斜視図でその中の▲１▼は電源コードである。
漬物桶の部分▲７▼は、取り出して洗うことが出来るようにしておく。
【図面の簡単な説明】
【０００７】
【図１】    本発明の斜視図
【図２】    本発明の断面図（中に入る桶▲７▼を出しである）
【図３】    本発明の断面図（図２の中に入る桶▲７▼である）
【図４】    本発明の保冷機能付漬物桶を使用中の断面図
【符号の説明】
【０００８】    ▲１▼    電源コード
▲２▼    漬物桶保冷器（上部の蓋を上げた状態）
▲３▼    保冷器の蓋
▲４▼    断熱部（斜線の部分）
▲５▼    冷却機部
▲６▼    冷却パイプ
▲７▼    漬物桶（図２の空洞▲１１▼部分へ入れる）
▲８▼    重し
▲９▼    落し蓋
▲１０▼    野菜等（漬物にするもの）
▲１１▼    漬物桶を入れる空洞
【図１】
2008125510.tif 000003
【図２】
2008125510.tif 000004
【図３】
2008125510.tif 000005
【図４】
2008125510.tif 000006
(57)【要約】【目的】魚釣り用の天秤で特に投げ釣りにとっての必要条件である安全性、正確性、遠投性等の機能を高め、誰でも易しく扱え、かつ楽しい釣りが出来る天秤を提供する。【構成】マツバ形天秤の仕掛けを取り付ける方のアーム部を縦軸に数回巻きつけ、さらに仮止めできる弾力素材で挟みこれを移動することによりアーム部を任意の所に仮止めできる様にした魚釣天秤。【選択図】図１
2008125501.tif 000002
【特許請求の範囲】
【請求項１】
縦軸（１）となる線材にアーム部（２）の線材を取り付け、縦軸（１）とアーム部（２）がマツバ形を成し、縦軸（１）上でアーム部（２）は縦軸（１）の軸方向と周方向に遊動し、さらに縦軸（１）上に仮止めできる弾力素材（３）と弾力素材（４）をアーム取り付け部の両脇に配した魚釣天秤。
【発明の詳細な説明】
【発明の詳細な説明】
【産業上の利用分野】
【０００１】この発明は、魚釣りに使用する魚釣用天秤に関するものである。
【背景技術】
【０００２】従来のマツバ天秤は縦軸とアームは一体で固定され、釣り場の自然環境に合わせアーム部の取り付け位置を変えることは出来ませんでした。
【発明が解決しようとする課題】
【０００３】マツバ形天秤のアーム部の取り付け位置により、キャスティング時の飛距離や、仕掛けの絡みに影響を及ぼしているため、風の方向や海流の状況に合わせてアームの取り付け位置の違う天秤を使用することにより、仕掛け絡みのトラブルを軽減できるし、キャスティング時の飛距離を延長することもできます。しかし、このために何種類ものマツバ天秤を持参せざるを得ず、しかも交換に要する時間もかかります。この発明は、これらの欠点を除くために発明したものである。
【課題を解決するための手段】
【０００４】縦軸（１）の線材に、アーム（２）となる線材を軸方向に数回巻きつけ、縦軸（１）にアーム（２）をマツバ形になるように曲げて取り付けた、さらに縦軸（１）上でアーム（２）取り付け部を両脇より仮止め用弾力素材（３）および仮止め用弾力素材（４）で挟んだ。
【作用】
【０００５】縦軸とアーム部がマツバ形を保持し、しかもアーム部が縦軸上で軸方向と周方向に遊動するように成り、弾力素材を任意の所に仮止めすることにより、アームを軸方向に任意で仮止めできるようになった。
【実施例】
【０００６】本発明を図面の図１、にもとづいて説明します。天秤の縦軸（１）に、アーム（２）となる線材の片方を軸方向に数回巻きつけ、縦軸（１）にアーム（２）をマツバ形になるように曲げて取り付けた、さらに縦軸（１）上でアーム（２）取り付け部を両脇より仮止め用弾力素材（３）および仮止め用弾力素材（４）で挟んだ。【０００７】本発明の他の実施例を図２、にもとづいて説明します。天秤の縦軸（１）となる線材に、アーム（２）部となる片方を２箇所で取り付け、アーム（２）をマツバ形になるように成型し、アーム（２）の２箇所の取り付け部の間に仮止め用弾力素材（３）を入れた。
【発明の効果】
【０００９】本発明は、釣り場の環境に合わせて軸上でアームの位置を変えたり、アームが周方向に自由に回転することにより仕掛けを遠投することが可能になり、水中を落下する際にも水中抵抗を受けにくい状態で降下するので、仕掛けを安全かつ正確にポイントに送ることが可能になった。
【図面の簡単な説明】
【図１】本発明の平面図
【図２】本発明の実施例を示す平面図
【符号の説明】
１  縦軸２  アーム部３  弾力素材４  弾力素材
【図１】
2008125501.tif 000003
【図２】
2008125501.tif 000004
(57)【要約】【課題】  嗜好食品であるアイスクリームを、栄養食品として、野菜など摂取しにくい人へ供給する為のアイスクリームにする。【解決手段】  一般的なアイスクリームの糖分を南瓜や蓮根、人参、山芋、キャベツ、イチジク、なしなどの糖分を加味し、砂糖の使用量は控える。なお一般のアイスクリームよりは糖分を落とし、副食となり得るものや、従来の甘さを維持し、栄養を加味した嗜好食品とする。アルカリ性の野菜を使用することで、健康を助けるアイスクリームとなる。野菜は相性の良い野菜と果物、そして乳製品、卵黄などとの組み合わせとする。そのパターンは季節の野菜と果物を季節毎に代替するものであり、保存のきく野菜は年間通して使用する。【特許請求の範囲】
【請求項１】
体液や血液は弱アルカリのペーハー７であり、健康な体を維持する為には、アルカリ性食品を多く摂取することが望ましい。野菜に多く含有するビタミンは蛋白や脂肪などの栄養の働きを助けるものである。この発明は毎食時に副菜として摂取すべき栄養素をアイスクリームの形で取り込む事を目的としている。又摂取不足から起こりがちな、糖尿病、動脈硬化、鼻血、生理不順防止、胃の健康、二日酔い改善、美肌効果、などの要素を持つ野菜を組み合わせ、ボイル、ミキサー破砕して、滑らかにしたものを、従来のアイスクリーム同様、牛乳、生クリーム、卵黄、砂糖なとを、量、材料の持ち味を考慮し、相性の良い物の組み合わせを作り、何種類かのアイスクリームとしたものである。下記はその中の２〜３種類を上げてみたものである。
例１南瓜、蓮根、山芋、人参、キャベツ、イチジク、例２薩摩芋、蓮根、人参、キャベツ、リンゴ、例３ニラ、ネギ、ナシ、押し麦、など季節の野菜や果物の組み合わせは、旬、栄養、効能効果を考慮して使用するものである。
半解凍した状態で、副菜の補助食品としても使用可能な食品である。
【発明の詳細な説明】
【技術分野】
【０００１】  この発明は従来の嗜好としてのアイスクリームではなく、野菜の栄養を手軽にどこででも、栄養源として摂取することができるように、アイスクリームとして、野菜や果物をボイル破砕し、アイスクリームの形態にしたものである。
【背景技術】
【０００２】
【特許文献１】  特開２００５＝７３５３４
【非特許文献】  宇野九一他３名著  家庭料理全書  全園社
【発明の開示】
【発明が解決しようとする課題】
【０００３】  従来のアイスクリームは生クリーム、牛乳、砂糖、卵黄が主材料で、嗜好品としての用途が多大であった。
【課題を解決するための手段】
【０００４】  アルカリ性野菜類の組み合わせを何種類か作り、旬の野菜と果物をミキサーで破砕し、従来のアイスクリームの触感をなるべく維持した物とする。砂糖や卵黄、生クリームの量を減らしたり、野菜の種類によっては生クリームや卵黄を外すことで、食品アレルギー患者にも適応した物を作ることができる。栄養補給、健康、美肌の為になる、副食代用を目標とした栄養添加物を使用しない健康なアイスクリームである。
【発明の効果】
【０００５】  野菜嫌いな人々も多く、便秘がちになる傾向があり、そのために体調を崩す人もいる。胃腸の弱い人にも摂取してもらうことができる。サプリメント使用は健康障害を起こす危険をはらんでいないとは言いきれない、未知の物である。昔から人間が食料としてきた物は安心度が高く、それをアイスクリーム形態にしたので、より栄養的、かつ健康的、保存期間も長く、無駄を減少できる。
【発明を実施するための最良の形態】
【実施例１】
【０００６】  材料は南瓜、山芋、人参、蓮根、キャベツ、イチジク、生ミルク、卵黄、牛乳、砂糖作り方野菜、果物などの材料を全てボイルして水きりをする。Ａ（少量の牛乳と砂糖と卵黄を混ぜ合わせ、火にかけてクリーム状態にしておく）ボイルした材料を合わせミキサーにかけ、粒子が細かくなったらＡを加え、生クリームを泡立てた中に加え、冷凍庫に入れる。
【実施例２】
【０００７】  ニラ、ネギ、なしをボイルし、ミキサーにかけた物を、生クリーム、牛乳、コーンスターチ、卵黄等と混合させ、従来のアイスクリームの触感にする。
【産業上の利用可能性】
【０００８】  この発明品は現在、生産と販売を依頼している。
(57)【要約】【課題】植木の肥料やりは、スコップやクワなどで地面に穴を掘り、肥料を埋めていたが、穴を掘れない場所や、狭い所でも、簡単に肥料やりが出来るようにする。【解決手段】容器１に肥料を入れ、取手４で本体を固定し、鉢棒３を上下させることにより、地面の穴あけと、パイプ２を通して肥料をその穴に入れ込む。【選択図】図１
2008125512.tif 000002
【特許請求の範囲】
【請求項１】
容器に肥料を入れ、針棒で土に穴をあけ、パイプを通してその穴に肥料を落し込み、植木の肥料やりを簡単に出来る器具。
【請求項２】
取手４は施工者の身長に合わせ、スライドして固定できるようにした器具。
【発明の詳細な説明】
【発明の詳細な説明】
【技術分野】
【０００１】本発明は容器の中に肥料を入れて、針棒で土に穴をあけ、その針棒を容器の上まで上げると、容器内の肥料がパイプを通して、適量その穴に肥料が落ち込み、再度針棒を下すと肥料が土の奥まで埋めることが出来、植木の肥料やりを楽に出来るようにした。
【背景技術】
【０００２】従来は植木の周りに、スコップやクワで穴を掘り、肥料を埋めていたが、穴が掘りにくい場所が多く、肥料やりが大変であった。
【発明を実施するための最良の形態】
【０００３】本発明は、植木の肥料やりを簡単に出来るようにした器具で、それを図面について説明すれば、肥料を入れる容器１にパイプ２を取り付け、針棒３を中に通したものである。
【発明の効果】
【０００４】このようにすれば、針棒の上げ下げだけで、地面の穴あけと、植木の肥料を埋めることが出来、狭い場所や穴が掘りにくい所でも作業が簡単に出来る。
【図面の簡単な説明】
【図１】植木の施肥器具の立体図である。
【符号の説明】
１、容器
２、パイプ
３、針棒
４、取手
５、フタ
【図１】
2008125512.tif 000003
(57)【要約】【課題】  この発明は、美容用フェイスマスクにおいて、簡単な方法によって、変形することなく、しかも、手体裁のよい包装の美容用フェイスマスクを開発・提供することにある。【解決手段】  顔の大きさにカットされ、両目（１ａ）部分と、鼻部（１ｂ）に切り込みを設け、口部（１ｃ）には穴を設けたものであり、マスク（１）の外周には、ところどころに切り込み（１ｄ）を入れた美容用フェイスマスク（１）を、縦又は、横方向に半折し、この半折したフェイスマスク（１′）を、一方から他方に向けてロール状に巻いて、ロール状に巻いたフェイスマスク（１″）とし、これを細筒状の包装袋（Ｘ）に入れて収納するものである。【選択図】        図２
2008125685.tif 000002
【特許請求の範囲】
【請求項１】
フェイスマスク（１）を、縦又は、横方向に半折し、この半折したフェイスマスク（１）を、一方から他方に向けてロール状に巻いてスティク状に形成し、包装することを特徴とする美容用フェイスマスクの包装方法。
【発明の詳細な説明】
【技術分野】
【０００１】
この発明は、美容用フェイスマスクの包装方法に関するものである。
【背景技術】
【０００２】
従来、美容用フェイスマスクは、化粧水等の液体を含浸させ、このフェイスマスクを顔面にあてがい、施術するものであり、その素材は紙、パルプ、合成繊維等を原料とする不織布であり、顔の形に打ち抜き、縁面をきっちりと揃えて２つ折りにし、その後適当に折り畳むか、そのままぐじゃぐじゃに縮めて圧縮し、錠剤状のコンパクトな形状にしていた。
【０００３】
しかしながら、これらの方法では、コンパクトに包装はできるものの、この折り畳まれ、あるいは圧縮されたものを、もとの形状に拡げる作業が煩雑であり、化粧液を含浸させて拡げても、収縮時に変な圧力が加わっており、例えば，口の部分等が変形していたりし、また、フェイスマスクが破れたりすることがあり、商品として体裁が悪く、思わしいものではなかった。
【発明の開示】
【発明が解決しようとする課題】
【０００４】
そこで、この発明は、美容用フェイスマスクにおいて、簡単な方法によって、変形することなく、しかも、手体裁のよい包装の美容用フェイスマスクを開発・提供することにある。
【課題を解決するための手段】
【０００５】
そして、この発明は、従来の美容用フェイスマスクを、先ず、縦又は、横方向に半折し、この半折したフェイスマスクを、一方から他方に向けてロール状に巻いてスティク状に形成し、包装する美容用フェイスマスクの包装方法である。
【発明の効果】
【０００６】
この発明によると、フェイスマスクを、縦又は、横方向に半折し、この半折したフェイスマスクを、一方から他方に向けてロール状に巻いてスティク状に形成し、包装するものであり、従って、折り畳み箇所は一か所のみであり、後は、ロール状に巻いており、拡げる際には、破れたりすることがなく、また、圧縮等の手段を用いないため、フェイスマスクが変形することない等極めて有益なる効果を奏する。
【発明を実施するための最良の形態】
【０００７】
この発明の好適な実施例を図面により詳述すると、図１はこの発明にかかる美容用フェイスマスクの平面図であり、図２は、この美容用フェイスマスクの折り畳み状態を順次示す説明図であり、図３は、折り畳んだ美容用フェイスマスクを筒状袋に収納した状態を示す斜視図である。
【０００８】
この発明は、美容用フェイスマスクを、ぐじゃぐじゃに縮めて圧縮したり、多数折り畳むことなく、一度の折り畳みで包装できる美容用フェイスマスクの包装方法である。
【実施例】
【０００９】
そこで、この発明の詳細を図１により詳述すると、美容用フェイスマスク（１）は、顔の大きさにカットされ、両目（１ａ）部分と、鼻部（１ｂ）に切り込みを設け、口部（１ｃ）には穴を設けたものであり、マスク（１）の外周には、ところどころに切り込み（１ｄ）を入れることにより、美容用フェイスマスク（１）が顔面にフィットするよう構成されている。
【００１０】
そして、図２に示すように、この美容用フェイスマスク（１）を、縦又は、横方向に半折し、この半折したフェイスマスク（１′）を、一方から他方に向けてロール状に巻いたフェイスマスク（１″）に形成し、これを細筒状の包装袋（Ｘ）に入れて収納するものである。
【００１１】
尚、この美容用フェイスマスク（１）は、使用する際には、細筒状の包装袋（Ｘ）から取り出し、化粧水を、このロール状に巻いたフェイスマスク（１″）に降り注ぎ、よく湿潤になってからロールを外し、半折したフェイスマスク（１′）に戻してから一面に開いたフェイスマスク（１）に戻してから使用するものである。
【産業上の利用可能性】
【００１２】
この発明は、美容用フェイスマスクの包装方法の技術を確立し、かつ、実際に装置を製造し、使用することにより、産業上の利用可能性を有する。
【図面の簡単な説明】
【００１３】
【図１】この発明のフェイスマスクの一実施例を示す平面図である。
【図２】この発明のフェイスマスクの折り畳み状態を示す説明図である。
【図３】この発明のフェイスマスクの収納状態の一実施を示す斜視図である。
【符号の説明】
【００１４】
１  美容用フェイスマスク
１ａ  両目部
１ｂ  鼻部
１ｃ  口部
１ｄ  切り込み
１′半折したフェイスマスク
１″ロール状に巻いたフェイスマスク
Ｘ  包装袋
【図１】
2008125685.tif 000003
【図２】
2008125685.tif 000004
【図３】
2008125685.tif 000005
(57)【要約】【課題】  ＥＬＦ若しくはＶＬＦ帯域を使用することにより、従来にない電力を長距離に渡って供給することを本発明の課題とする。【解決手段】  ＥＬＦ若しくはＶＬＦ等の長波を利用して磁界による誘導結合を持って電力を供給することを特徴とする無線電力供給ターミナル。【選択図】  図１
2008125142.tif 000002
【特許請求の範囲】
【請求項１】
ＥＬＦ若しくはＶＬＦ等の長波を利用して磁界による誘導結合を持って電力を供給することを特徴とする無線電力供給ターミナル。
【請求項２】
共振周波数を水晶発振器等から無線電波に必要な共振周波数を得ることを特徴とする請求項１の無線電力供給ターミナル。
【請求項３】
ＡＣコンセント等の交流電力元に予め必要な周波数成分を混入することにより無線電波に必要な共振周波数を得ることを特徴とする請求項１の無線電力供給ターミナル。
【請求項４】
請求項３の方法を用いて特定範囲に無線電力供給を行なうことを特徴とする請求項１の無線電力供給ターミナル。
【発明の詳細な説明】
【技術分野】
【０００１】本発明は、電磁波を利用した無線による電力供給の方法に関する。
【背景技術】
【０００２】ＲＦＩＤを代表として遠隔通信を行なう媒体では、無線による電力供給は従来から行なわれているが、周波数特性に起因する人体影響が原因となり満足な電源供給を行なえていない。しかし、電子回路を使用する上で電力供給は欠かせない条件である。電力を必要とする機能重視の媒体などでは電池を実装し電源供給を行なっているのが現状である。またＲＦＩＤではないが無線通信を行なう媒体でありながら電源コードの接続により電源供給を行なうものも少なからず存在する。無線通信を行なう媒体において電源コードが存在することは無線の価値を著しく損なうこととなるのは言うまでもない。
すなわち、現在の技術では機能的に制限し無線電力を使用するか、物理的な電源供給手段を採用して機能を優先するかが常に問われることとなっている。
一例を挙げると１３．５６ＭＨｚ帯を使用するパッシブ型のＲＦＩＤである。電波特性としては電磁結合の限界点であるλ／２Πの距離は約３．５ｍとなり、これは周波数特性に起因する電磁結合の限界距離である。つまり同じ方法で１３．５６ＭＨｚ帯を使用する限り約３．５ｍを超えて通信することは不可能であることを意味する。そして電波障害などの影響を考慮し送信電力を制限した結果、同帯域で現実の媒体では約１ｍ程度の通信距離しか持てないのである。【０００３】また電源供給手段を採用することにより、製造費および保守費用などに負担が掛かることとなる。このためＲＦＩＤでは、物流システムへの応用に無限の可能性があるのにも関わらず、実際の使用には至らないことが多々見受けられる。
このように低コストで利便性を上げる方法として無線電力供給は重要な意味を持つのである。
【発明の開示】
【発明が解決しようとする課題】
【０００４】ＥＬＦ若しくはＶＬＦ帯域を使用することにより、従来にない電力を長距離に渡って供給することを本発明の課題とする。
【課題を解決するための手段】
【０００５】ＥＬＦ若しくはＶＬＦ等の長波を利用して磁界による誘導結合を持って電力を供給することを特徴とする無線電力供給ターミナル。【０００６】共振周波数を水晶発振器等から無線電波に必要な共振周波数を得ることを特徴とする。【０００７】ＡＣコンセント等の電力元に予め必要な周波数成分を混入することにより無線電波に必要な共振周波数を得ることを特徴とする。
【発明の効果】
【０００８】本発明により、従来から行なわれている無線電力供給よりも大きな電力を供給することが可能となる。また無線電力の増大は現在よりも遠距離にて電力供給を行なうことが可能となる。このことは通信についても同様の効果が期待できるものである。【０００９】しかも、高周波帯域のように人体と共振することによる悪影響が回避できるものである。これは長波帯の波長が数キロメートルから数十キロメートルと極端に長くなるために人体との共振が物理的にあり得ないからである。
【発明を実施するための最良の形態】
【００１０】本発明の無線電力供給ターミナルは、ＥＬＦ若しくはＶＬＦ帯域を利用し誘導性の電磁結合により電力を供給するものである。
【実施例】
【００１１】以下、図１を参照して本発明の一実施例を詳細に説明する。
交流電源４をＡＣコンセント若しくは配電設備などに接続し得るものとする。日本国内で言えば一般的なＡＣ１００Ｖである。尚、交流電源４については装置内で直流変換し電子回路への電源として利用することも考えられる。【００１２】共振周波数抽出回路２により交流電源４から出力用共振回路１に必要な発振周波数の信号を抽出する。この発振周波数を混入および抽出する点においては電力線通信技術に同様のものである。但し、このことは本発明の解決する課題とは直接関与せず、あくまでも周辺技術の一つである。【００１３】共振周波数抽出回路２から得た信号によりトランジスタ３を介して出力用共振回路１伝達する。出力用共振回路１により電磁波を発生する。無線電力供給ターミナル近傍界内にある電力受給デバイスは誘導結合により電力を得る。
尚、ここで言う電力受給デバイスとは無線電力供給ターミナルと同じ共振周波数による電力受信機能を持つものとする。【００１４】図１に対して図２は交流電源４を経由して共振周波数の信号を受け取る方式ではなく、水晶発振器７などの発振回路を実装し出力電磁波の発振源とするものである。
この方法では電力通信技術などのように配電設備を改造する事無く電力供給用の電磁波を出力することが可能となる。【００１５】本発明の無線電力供給ターミナルでは、特に電磁波を使用する上で周波数帯域を限定するものではないが、到達距離および人体への影響度においてＥＬＦ／ＶＬＦなどの長波帯域を優位なものと考えて使用する。【００１６】一例として任意の周波数における１ｍおよび１０ｍ地点での磁界強度を下記に試算する。計算式および各設定値を下記に記述する。
磁界強度Ｈ＝Ｉ・Ｎ・Ｒ＾２／２√（Ｒ＾２＋ｘ＾２）＾３
Ｉ＝電流、Ｎ＝コイルの巻数、Ｒ＝コイル半径、ｘ＝コイル中心からの距離
Ｉ＝１０Ａ，Ｎ＝１００、Ｒ＝１０ｍｍ，ｘ＝１ｍ
１０＊１００＊（１０＊１０＾−３）／２√（（１０＊１０＾−３）＾２＋１＾２）＾３＝５ｍ
上記結果より、１ｍ地点では５ｍＡ／ｍの磁界強度が得られる。また１０ｍ地点では距離の１０倍に対して反比例し６０ｄＢの減少を招くことから５ｕＡ／ｍとなる。【００１７】本発明により、容易に無線電力の供給ターミナルを設置することが可能となる。
図１を見ても解るとおり本発明の構造は非常に単純な構造で実現が可能であり、このことから小型化が可能なことが容易に推測できる。
また、１３．５６ＭＨｚ帯域と比較して人体への影響が少なく長距離の電力供給が実現できる。さらに本発明の実現により通信と電力供給の方法を個別に実現することが可能となる。すなわち、周波数帯域に依存せず無線電力を供給することが容易に実現できる。
【図面の簡単な説明】
【００１８】
【図１】無線電力給電ターミナル実施例１
【図２】無線電力給電ターミナル実施例２
【符号の説明】
【００１９】１  出力用共振回路
２  共振周波数抽出回路
３  トランジスタ
４  交流電源
５  バッファ
６  水晶発振器
【図１】
2008125142.tif 000003
【図２】
2008125142.tif 000004